(57)【要約】【課題】内部部材を変形させるための機構による内部部材の変形を外部から視認することができるクッション装置を提供する。【解決手段】クッション装置の一例であるマットレス１０は、マットレス本体１０Ａと、マットレス本体を覆う表面部材であるカバー層６０と、マットレス本体を変形させるための機構であるエアセル３１と、を備え、カバー層は、マットレス本体の変形による伸長に応じて外観が変化するよう構成されている。【選択図】図３
2019213653.tif 000002
【特許請求の範囲】
【請求項１】
内部部材と、
前記内部部材を覆う表面部材と、
前記内部部材を変形させるための機構と、を備え、
前記表面部材は、前記内部部材の変形による伸長に応じて外観が変化するよう構成されている
クッション装置。
【請求項２】
前記外観の変化は、色彩の変化、模様の変化、形状の変化、及び、表面部材から到来する光量の変化の少なくとも１つを含む
請求項１に記載のクッション装置。
【請求項３】
前記外観が変化することは、前記伸長の度合いに応じた変化を含む
請求項１または請求項２に記載のクッション装置。
【請求項４】
前記表面部材は、前記上面側の第１層と、前記下面側の第２層とが積層してなり、
前記第１層は開口を有し、
前記外観の変化は、前記開口が前記伸長に応じて変化することで、前記開口を介して視認される前記第２層の範囲が変化することを含む
請求項１〜請求項３のいずれか１項に記載のクッション装置。
【請求項５】
前記内部部材の前記表面部材に接する箇所が凹凸に成形されている
請求項１〜請求項４のいずれか１項に記載のクッション装置。
【請求項６】
前記凹凸は、複数の溝を有する
請求項５に記載のクッション装置。
【請求項７】
前記凹凸の凸部は、前記溝の延長方向に直交する断面が三角形状である
請求項６に記載のクッション装置。
【請求項８】
変形させるための機構によって変形可能な内部部材を覆う表面部材であって、
前記内部部材の変形による伸長に応じて外観が変化するよう構成されている
クッションの表面部材。
【発明の詳細な説明】
【技術分野】
【０００１】
本開示は、クッション装置及びクッションの表面部材に関する。
【背景技術】
【０００２】
特許文献１には、マット型のマッサージ機であって、エア袋（エアセル）を有するストレッチマットが開示されている。このストレッチマットは、複数のエアセルの膨張が独立して制御されるエア袋が膨張することによって、ストレッチマットに横たわる使用者の身体の一部を持ち上げる動作を行う。
【先行技術文献】
【特許文献】
【０００３】
【特許文献１】特開２００８−７３１８５号公報
【発明の概要】
【０００４】
特許文献１に示されたような従来のマットではエアセルが外部から視認可能な位置に設置されないことがある。たとえば、エアセルの表面がカバーに覆われていたり、エアセルがマットの下部に設置されていたり、マットの内部に設置されていたりすると、エアセルは外部から視認されない。そのため、エアセルの形状の変化（膨張、収縮）がわかりにくい。
【０００５】
ある実施の形態に従うと、クッション装置は、内部部材と、内部部材を覆う表面部材と、内部部材を変形させるための機構と、を備え、表面部材は、内部部材の変形による伸長に応じて外観が変化するよう構成されている。
【０００６】
他の実施の形態に従うと、クッションの表面部材は、変形させるための機構によって変形可能な内部部材を覆う表面部材であって、内部部材の変形による伸長に応じて外観が変化するよう構成されている。
更なる詳細は、後述の実施の形態として説明される。
【図面の簡単な説明】
【０００７】
【図１】図１は、実施の形態にかかる睡眠装置の構成の概略を示す斜視図である。
【図２】図２は、睡眠装置の構成の概略を示すブロック図である。
【図３】図３は、睡眠装置に含まれるマットレスの分解斜視図であるである。
【図４】図４は、マットレスにおけるエアセルの配置状態を説明するための図である。
【図５】図５は、マットレスを構成するウレタン層の一部の概略図である。
【図６】図６は、マットレスを構成する生地カバー層の構成の一例を説明するための概略図である。
【図７】図７は、生地カバー層の素材の一例を示した写真である。
【図８】図８は、マットレスを構成する生地カバー層の構成の他の例を説明するための概略図である。
【図９】図９は、睡眠装置の制御ユニットに含まれるメモリに記憶されているストレッチコースの具体例について説明するための図である。
【図１０】図１０は、生地カバーの外観の変化の一例を示した写真である。
【図１１】図１１は、内部部材、内部部材を変形させるための機構の配置、及び、表面部材の例を示した図である。
【発明を実施するための形態】
【０００８】
［１．クッション装置及びクッションの表面部材の概要］
【０００９】
（１）本実施の形態に含まれるクッション装置は、内部部材と、内部部材を覆う表面部材と、内部部材を変形させるための機構と、を備え、表面部材は、内部部材の変形による伸長に応じて外観が変化するよう構成されている。
【００１０】
クッション装置はクッションを有する装置であって、その形態としては、たとえば、マット型、椅子型、座布団型、枕型、及び、カフ型などがある。マット型のクッション装置は、たとえば、マットレス、介護用ベッド、などである。椅子型のクッション装置は、たとえば、マッサージチェア、椅子、乗り物の座席、などである。カフ型のクッション装置は、たとえば、自動血圧測定装置などである。
【００１１】
内部部材は、たとえば、マットレスに含まれるマットレス本体、椅子型等のクッション装置のクッション、及び、自動血圧測定装置のカフ、などである。実施の形態において、マットレス本体は、たとえば、ウレタン層、樹脂層、及び、エアセル、などを含む。
【００１２】
内部部材を変形させるための機構は、たとえば、自身が変形することで接して配置された内部部材を変形させるものである。実施の形態において、変形させるための機構は、たとえば、エアセル及び樹脂層である。エアセルに替えて、アクチュエータや液体などの流体を充填するセル(流体セル)であってもよい。アクチュエータは、たとえば、モータ駆動アクチュエータ、エアシリンダ又は油圧シリンダなどの流体アクチュエータである。
【００１３】
内部部材を変形させるための機構は、下の４つの形態Ａ〜Ｄを含む。
形態Ａ）内部部材の下に配置されて内部部材とともに表面部材に覆われ、自身が変形することで内部部材を上に押し上げるもの
形態Ｂ）内部部材の上に配置されて内部部材とともに表面部材に覆われ、自身が変形することで内部部材を下に押し下げるとともに表面部材を上に押し上げるもの
形態Ｃ）表面部材に覆われた内部部材の内部に配置されて、自身が変形することで内部部材を上下又は左右に変形させるもの
形態Ｄ）表面部材に覆われた内部部材の下にあって、表面部材の外部に配置されて、自身が変形することで表面部材を介して内部部材を上に押し上げるもの
【００１４】
内部部材がマットレスに含まれるマットレス本体であり、内部部材を変形させるための機構が上記の形態Ａである場合、たとえば、変形させるための機構であるエアセル及び樹脂層は、マットレス本体のうちのエアセル及び樹脂層以外のマットレス素材であるウレタン層を押し上げ、変形させる。
【００１５】
表面部材は、たとえば、上記の内部部材を覆うカバーである。クッション装置の一例であるマットレスは、内部部材であるマットレス本体を表面部材であるカバーで覆ったものである。
【００１６】
内部部材を表面部材で覆うことは、内部部材の全周に表面部材が接することのみならず、少なくとも上面に接することも含む。なお、表面部材は、内部部材の変形に連動して変形する形態で内部部材に接する。表面部材が内部部材を覆うことは、たとえば、上記の形態Ａ〜Ｄに加えて、下の形態Ｅ）を含む。
形態Ｅ）表面部材がいわゆるボックス型であって、内部部材の表面、側面、及び、底面の一部を覆い、底面の他の部分を覆わず、内部部材を変形させるための機構が、内部部材の下であって表面部材が覆っていない位置に配置されて、自身が変形することで内部部材を上に押し上げるもの
【００１７】
このような表面部材を用いることによって、内部部材を変形させるための機構による内部部材の変形の有無が視覚的に示されるとともに、変形量や変形した位置及び範囲が視覚的に示される。これにより、展示やデモンストレーション等において、変形量や変形した位置及び範囲をクッション装置と直接接触しなくても認識させることができる。これによって販売促進の効果が期待される。
【００１８】
（２）好ましくは、外観の変化は、色彩の変化、模様の変化、形状の変化、及び、表面部材から到来する光量の変化の少なくとも１つを含む。これにより、変形する機構による内部部材の変形が視覚的に示され、変形が効果的に使用者の身体に伝えられることを視覚的に確認できる。
【００１９】
（３）好ましくは、外観が変化することは、伸長の度合いに応じた変化を含む。これにより、伸長度合い、つまり、内部部材の変形度合を視覚的に確認することができる。内部部材の変形度合は、たとえば、マットレス素材の押し上げ度合である。
【００２０】
（４）好ましくは、表面部材は、上面側の第１層と、下面側の第２層とが積層してなり、第１層は開口を有し、外観の変化は、開口が伸長に応じて変化することで、開口を介して視認される第２層の範囲が変化することを含む。この構成により、マットレスが押し上げられた箇所は表面部材が引っ張られ、第１層は開口が広がる。そのため、開口を介して視認される第２層の範囲が大きくなる。その結果、開口が広がる前の第２層の視認される範囲と開口が広がった後の視認される範囲とが異なり、外観の変化が生じる。
【００２１】
（５）好ましくは、内部部材の表面部材に接する箇所が凹凸に成形されている。内部部材を変形させるための機構によって内部部材が変形すると、凹凸が表面部材に押し付けられ、凹凸の形で表面部材が引っ張られる。これにより、凹凸の形が表面部材の表面に現れ、押し上げられた箇所がより明確に視覚的に示される。
【００２２】
（６）好ましくは、凹凸は、複数の溝を有する。
（７）また、好ましくは、凹凸の凸部は、前記溝の延長方向に直交する断面が三角形状である。これにより、表面部材が引っ張られた箇所にライン状の外観の変化が生じ、意匠性も高めることができる。
【００２３】
（８）本実施の形態に含まれるクッションの表面部材は（１）〜（７）のいずれか１つに記載のクッション装置に含まれるクッションの表面部材である。そのため、クッションの表面部材は、（１）〜（７）に記載のクッション装置と同様の効果を奏する。
【００２４】
［２．クッション装置及びクッションの表面部材の例］
［第１の実施の形態］
＜睡眠装置の構成＞
図１は、本実施の形態にかかる睡眠装置１００の構成の概略を示す斜視図である。図２は、睡眠装置１００の構成の概略を示すブロック図である。なお、鉛直方向（上下方向）をＺ方向とし、Ｚ方向に垂直な一方向（左右方向）をＸ方向とし、Ｚ方向及びＸ方向に垂直な方向（前後方向）をＹ方向とする。各方向において＋側に向かう向きを＋向き、−側に向かう向きを−向きと称する。
【００２５】
図を参照して、睡眠装置１００は、身体支持部であるマットレス１０と、睡眠装置１００を制御する制御ユニット４０と、を含む。図３は、マットレス１０の分解斜視図である。マットレス１０は、クッション装置の一例である。
【００２６】
マットレス１０は、上下面が水平となり、長手方向がＹ方向と一致するように床面などに設置される。＋Ｚ向きの面を上面、その裏面（−Ｚ向きの面）を下面とする。マットレス１０は、上面に横臥する使用者Ｐを支持する。マットレス１０は、ウレタン層１７と、エアセル３１と、ウレタン層１７およびエアセル３１の支持部材である樹脂層１６と、表面部材である生地カバー層６０と、を有し、それらが積層されている。マットレス１０のうちのウレタン層１７、エアセル３１、及び、樹脂層１６は、マットレス本体１０Ａである。マットレス本体１０Ａのうちのウレタン層１７は、マットレス１０の内部部材である。
【００２７】
マットレス１０の内部部材は、クッション材によって構成されている。クッション材は、たとえば、クッション性を有する発泡樹脂である。発泡樹脂は、たとえば、ウレタンフォームであって、ウレタン層１７はウレタンフォームからなる。エアセル３１及び樹脂層１６はマットレス本体１０Ａに含まれる、マットレス１０の内部部材を変形させるための機構の一例であって、ウレタン層１７を押し上げるための機構である。
【００２８】
マットレス１０は、Ｙ方向に第１マット部１１、第２マット部１２、及び、第３マット部１３の３つ部分が順に並ぶように、Ｘ方向に分割されている。マットレス１０の上面に足を＋Ｙ向き、頭をその反対向き（−Ｙ向き）として使用者Ｐが横臥したときに、第１マット部１１は使用者Ｐの頭肩を支持し、第２マット部１２は胴体を支持し、第３マット部１３は足を支持することが想定されている。
【００２９】
第１マット部１１と第２マット部１２との接合面の下面側には、切り欠き構造の連結部１４が形成されている。また、第２マット部１２と第３マット部１３との接合面の上面側には、同様の連結部１５が形成されている。これにより、マットレス１０は３つ折りにされることが可能となっている。
【００３０】
第３マット部１３は、樹脂層１６Ｆと、ウレタン層１７Ｆと、表面部材である生地カバー層６０とが積層されたものである。図３に示されたように、ウレタン層１７Ｆと生地カバー層６０との間に、第３マット部１３用のカバー層がさらに積層されていてもよい。これは、他のマット部でも同様である。樹脂層１６Ｆとウレタン層１７Ｆとの間に２個のエアセル３１Ｃ，３１Ｔｏが配置されている。
【００３１】
第２マット部１２は、樹脂層１６Ｂと、ウレタン層１７Ｂと、生地カバー層６０とが積層されたものである。樹脂層１６Ｂとウレタン層１７Ｂとの間に４個のエアセル３１ＨｉＬ，３１ＨｉＲ，３１Ｌ，３１Ｔｈが配置されている。Ｘ方向に並列するエアセル３１ＨｉＬ，３１ＨｉＲを代表させてエアセル３１Ｈｉとも称する。
【００３２】
第１マット部１１は、樹脂層１６Ｈと、ウレタン層１７Ｈと、生地カバー層６０とが積層されたものである。樹脂層１６Ｈとウレタン層１７Ｈとの間に５個のエアセル３１ＨｅＬ，３１ＨｅＲ，３１ＳＬ，３１ＳＲ，３１Ｂが配置されている。Ｘ方向に並列するエアセル３１ＨｅＬ，３１ＨｅＲを代表させてエアセル３１Ｈｅ、エアセル３１ＳＬ，３１ＳＲを代表させてエアセル３１Ｓと称する。
【００３３】
各エアセル３１は、エアチューブ３３及び電磁弁３４を介して、外部に配置されたポンプボックス３２と連結されている。一例として、第３マット部１３のＹ方向の端部には、コネクタボックス３５が設けられている。コネクタボックス３５は、ポンプボックス３２から伸びるエアチューブ３３を接続するための接続口を有し、接続口を介してポンプボックス３２から伸びるエアチューブ３３をマットレス１０内部のエアチューブ３３と連結する。ポンプボックス３２には図示しないポンプが内蔵されている。ポンプボックス３２からコネクタボックス３５へは、エアチューブ３３に加えて、電磁弁３４や制御ユニット４０に電力供給するための配電線も接続されている。
【００３４】
図４は、マットレス１０におけるエアセル３１の配置状態を説明するための図である。図４を参照して、マットレス１０の上面に使用者Ｐが仰向けに横臥したときに、エアセル３１ＨｅＬ，３１ＨｅＲは使用者Ｐの頭部の左右に、エアセル３１ＳＬ，３１ＳＲは左右の肩部の下に、エアセル３１Ｂは背中の下に、エアセル３１ＨｉＬ，３１ＨｉＲは左右の腰部に、エアセル３１Ｌは腰部中央の下に、エアセル３１Ｔｈは臀部の下に、エアセル３１Ｃは両膝裏の下に、エアセル３１Ｔｏは両ふくらはぎの下に配置されることが想定されている。
【００３５】
制御ユニット４０は、一例として、第３マット部１３のＹ方向の端部に配置されている。制御ユニット４０は、図示しないＣＰＵ（Central Processing Unit）及びメモリ２０を含み、睡眠装置１００全体を制御する。メモリ２０には、ＣＰＵで実行されるプログラムが記憶されているとともに、ストレッチコースにかかるデータが格納されている。ストレッチコースの具体例については後述する。
【００３６】
制御ユニット４０は、ポンプボックス３２に内蔵されたポンプの駆動及び電磁弁３４の開閉を制御する制御部４３を有する。制御部４３が電磁弁３４を開放し、かつ、ポンプを駆動させることで、複数のエアセル３１のうちの解放した電磁弁３４に接続されているエアセル３１が膨張し、ウレタン層１７のうちの膨張したエアセル３１に重なる部分が押し上げられる。これにより、マットレス１０の上面に横臥していた使用者Ｐの、上記部分に接していた身体の一部が持ち上がる。制御部４３がポンプを駆動し続けることでエアセル３１の最大の膨張状態を維持することができる。また、制御部４３がその後にポンプの駆動を停止し、かつ、電磁弁３４を閉鎖することによって上記エアセル３１の膨張状態が維持され、その結果、使用者Ｐの身体の一部が持ち上げられた状態が維持される。
【００３７】
制御部４３が、ポンプの駆動を停止した状態で電磁弁３４を開放することで、複数のエアセル３１のうちの解放した電磁弁３４に接続されているエアセル３１内の空気が排気され、膨張が収縮する。これにより、ウレタン層１７のうちのこのエアセル３１に重なる部分であって、押し上げられていた部分が元の位置に戻る。その結果、使用者Ｐの持ち上げられた身体の一部が元の位置に戻る。
【００３８】
制御ユニット４０は、スマートフォン５３との間でデータの送受信を可能とする送受信部４４を有する。送受信部４４は、一例として、スマートフォン５３と無線通信を行う。送受信部４４とスマートフォン５３との通信は有線による通信であってもよい。スマートフォン５３は、使用者Ｐによる制御ユニット４０に対する入力操作を受け付ける装置の一例であって、他の例として、リモコン５０などであってもよい。リモコン５０との通信は、スマートフォン５３との通信と同様に、無線通信であってもよいし有線による通信であってもよい。有線による通信の場合、一例として、第１マット部１１の−Ｙ方向の端部には、通信ボックス５１が設けられている。通信ボックス５１は、リモコン５０などの外部装置との間で通信ケーブルを接続するための接続口を有し、接続口を介して制御ユニット４０との通信を中継する。
【００３９】
＜ウレタン層の構造＞
図５は、ウレタン層１７の一部の概略図であって、水平に置かれたウレタン層１７を上方から見下ろした状態で示している。図５を参照して、ウレタン層１７は、上面側の第１層１７ａと下面側の第２層１７ｂとからなる二層構造である。第１層１７ａはマットレス１０の上面に横臥した使用者Ｐに向く側の層であり、第２層１７ｂはエアセル３１に接する側の層である。
【００４０】
第１層１７ａの上面には凹凸が形成されている。第１層１７ａの上面に凹凸が形成されていることによって、マットレス１０の上面に横臥した使用者Ｐをエアセル３１の膨張によって持ち上げる際に、全面よりも少ない面積で使用者Ｐに接して持ち上げるようになる。そのため、マットレス表面の平面で持ち上げるよりも使用者Ｐの体圧がかかる面積が広がり、体圧分散性を高めることができる。その結果、使用者Ｐの身体への負担を軽減させることができる。
【００４１】
好ましくは、凹凸は、複数本の、Ｙ方向に延びる溝部１８Ｂを含む。隣接する溝部１８Ｂの間は、山部１８Ａを構成する。すなわち、第１層１７ａの上面には、山部１８Ａ及び溝部１８Ｂ（ライン）が形成されている。図５に示されるように、山部１８ＡのＸＺ平面の断面は、とがった三角形状である。
【００４２】
第１層１７ａと第２層１７ｂとは、それぞれ、ウレタンフォームなどの発泡樹脂によって形成されている。第１層１７ａと第２層１７ｂとでは、例えば、素材又は密度が異なる。第２層１７ｂの素材は、第１層１７ａの素材よりも固い。第１層１７ａを柔らかい素材で成形することで、第１層１７ａによる使用者Ｐへのクッション性を確保できる。その一方で、第１層１７ａの素材が柔らかいと、下にあるエアセル３１の膨張によって第１層１７ａの素材が押しつぶされ、マットレス１０の上面に横臥した使用者Ｐを押し上げるに至らない場合がある。また、第１層１７ａにラインが形成されている場合、第１層１７ａの素材が押しつぶされると使用者Ｐへラインではなく面で接触するため、使用者Ｐへの圧迫感が大きくなる場合がある。
【００４３】
その点、第１層１７ａの下方にそれよりも固い素材で成形された第２層１７ｂを設けることで、下にあるエアセル３１の膨張によって押し上げられる範囲は第２層１７ｂがない場合よりも広くなる。その結果、エアセル３１の膨張によって第１層１７ａにかかる単位面積当たりの圧力が小さくなり、第１層１７ａの素材が押しつぶされにくくなる。これにより、エアセル３１の挙動を効果的に使用者Ｐに作用させることができる。また、ウレタン層１７を柔らかい素材の第１層１７ａだけで構成した場合、第１層１７ａが沈みすぎて、使用者が、底づき感を受けることがある。底づき感は、柔らかい層を介して受ける、床や、樹脂板、押し上げ機構などの接触感である。底づき感は、比較的固い第２層１７ｂを設けることによって、軽減される。
【００４４】
＜生地カバーの構造＞
生地カバー層６０は、位置の変化によって外観が変化する、伸長性を有する布地によって成形されている。好ましくは、位置の変化度合に応じた変化量、外観が変化する、伸長性を有する布地によって成形されている。
【００４５】
位置の変化によって外観が変化する布地は、一例として、特開２００９−４６７９４号公報に開示の多層構造生地を応用することができる。図６は、生地カバー層６０の構成の一例を説明するための概略図である。図を参照して、生地カバー層６０は、開口窓６２が設けられた外側の第１層６１Ａと、第１層６１Ａと異なる色彩が施された、又は、ＬＥＤ（Light Emitting Diode）や有機ＥＬ（Electro Luminescence）などの発光する素材で成形された内側の第２層６１Ｂとの積層構造である。
【００４６】
図中のＡ部分は、非伸長時の生地カバー層６０、つまり、ウレタン層１７のエアセル３１によって持ち上げられていない箇所を表し、Ｂ部分は、伸長時の生地カバー層６０、つまり、エアセル３１によって持ち上げられている箇所を表している。エアセル３１によってウレタン層１７が持ち上げられると、持ち上げられていない場合から生地カバー層６０が伸長されることによって第１層６１Ａの開口窓６２の範囲が大きくなる。そのため、生地カバー層６０の外周側から開口窓６２を介して視認される第２層６１Ｂの範囲が大きくなる。
【００４７】
図７は、生地カバー層６０の素材の一例を示した写真である。図１１の左側は非伸長時の生地の拡大写真を示し、右側が同じ位置の伸長時の拡大写真を示している。図７の生地は、第１層に白色、第２層に水色の色彩が施されており、さらに、第１層に開口窓が設けられている。非伸長時は開口窓の開口が小さいため、第２層の水色が第１層の外側から視認されにくい（図７の左側）。一方、伸長時は開口窓の開口が大きくなるため、第２層の水色が第１層の外側から視認される（図７の右側）。また、図７に示されるように、伸長度合が大きい位置ほど第２層の水色が多く外側から視認されるために濃く見え、伸長度合が小さい位置は水色が薄く見える。
【００４８】
なお、生地カバー層６０を形成する布地は上記の多層構造生地に限定されない。他の例として、図８に示されるように、凸部６３Ａと凹部６３Ｂとで異なる色彩が施された蛇腹形状の布地であってもよい。この場合、非伸長の箇所では隣接する凸部６３Ａ間に折りたたまれている凹部６３Ｂが、生地カバー層６０が伸長された箇所では広がる。その結果、生地カバー層６０外周から視認される凹部６３Ｂに施された色彩は非伸長の箇所よりも多くなる。
【００４９】
さらに他の例として、規則的な色彩や模様、形状が表面に施された布地であってもよい。この場合、生地カバー層６０が伸長されることによって、生地カバー層６０表面に施された規則的な色彩等が変化し、伸長された箇所が不規則な色彩等になる。また、エアセル３１の膨張が収縮してもとに戻ると、生地カバー層６０の色彩等が元の色彩等に戻る。
【００５０】
さらに他の例として、開口窓を有した布地であってもよい。この場合、生地カバー層６０が伸長されることによって、生地カバー層６０に設けられた開口窓の範囲が変化し、開口窓を介して視認されるウレタン層１７表面の範囲が大きくなる。この場合、好ましくは、生地カバー層６０の開口窓の直下に位置する部材（たとえばウレタン層１７）表面に生地カバー層６０表面と異なる色彩や模様が施されていたり、ＬＥＤなどの発光素材が用いられていたりする。
【００５１】
＜制御ユニットによる制御＞
制御ユニット４０の制御部４３は、メモリ２０に記憶されているストレッチコースに従ってポンプの駆動及び電磁弁３４の開閉を制御する。図９は、メモリ２０に記憶されているストレッチコースの具体例について説明するための図であって、ストレッチコースのうちの、「腰ひねり」、「クロスひねり」、及び「上半身起こし」を示した図である。図は、左から右に向かって時間経過を示し、左から順に、時間ｔ１，ｔ２，ｔ３，…とする。なお、図において、ハッチングされたエアセルは膨張していることを示し、ハッチングされていないエアセルは膨張していないことを示している。
【００５２】
図を参照して、「腰ひねり」で制御部４３は、時間ｔ１に左右腰及び腰中央の下のエアセル３１を膨張させ、時間ｔ２に左腰及び腰中央の下のエアセル３１を膨張させ、時間ｔ３に右腰及び腰中央の下のエアセル３１を膨張させ、時間ｔ４に左腰及び腰中央の下のエアセル３１を膨張させ、時間ｔ５に右腰及び腰中央の下のエアセル３１を膨張させる。時間ｔ２〜ｔ５の制御により、使用者Ｐには、腰部が左右にひねられるストレッチが実行される。なお、時刻ｔ１の制御により、使用者Ｐは腰部がエアセル３１によって持ち上げられた位置に一致するようにマットレス１０上面での位置を調整することができる。
【００５３】
図を参照して、「クロスひねり」で制御部４３は、時間ｔ１に左右肩及び左右腰の下のエアセル３１を膨張させ、時間ｔ２に左肩及び右腰の下のエアセル３１を膨張させ、時間ｔ３に右肩及び左腰の下のエアセル３１を膨張させ、時間ｔ４に左肩及び右腰の下のエアセル３１を膨張させ、時間ｔ５に右肩及び左腰の下のエアセル３１を膨張させる。時間ｔ２〜ｔ５の制御により、使用者Ｐには、腰部と肩部とが互いに逆側に左右にひねられるストレッチが実行される。なお、時刻ｔ１の制御により、使用者Ｐは左右肩及び左右腰部がエアセル３１によって持ち上げられた位置に一致するようにマットレス１０上面での位置を調整することができる。
【００５４】
図を参照して、「上半身起こし」で制御部４３は、頭部左右、左右肩、及び背中の下のエアセル３１を膨張させる。この制御により、使用者Ｐには、上半身が持ち上げられる向きの力が働く。
【００５５】
＜実施の形態の効果＞
本実施の形態にかかる睡眠装置１００に含まれるマットレス１０では、生地カバー層６０が位置の変化によって外観が変化する布地によって成形されていることによって、生地カバー層６０の外観は図１０に示されるように変化する。図１０は、生地カバー層６０の外観の変化の一例を示した写真である、図１０の左側はエアセル３１を膨張させていないときの写真を示し、右側がエアセル３１を膨張させたときの写真を示している。
【００５６】
図を参照して、エアセル３１を膨張させていないときには第１層１７ａの上面は平坦であるため、生地カバー層６０の外観は一様に同じ外観である（図１０の左側）。これに対して、エアセル３１が膨張してウレタン層１７が押し上げられると生地カバー層６０の第１層１７ａを覆う部分が伸長され、伸長された位置、つまり、エアセル３１の膨張によって押し上げられた位置の生地カバー層６０の色彩等の外観が変化する（図１０の右側）。図１０の例では、生地カバー層６０の素材の第１層が白色、第２層が灰色に着色されており、伸長された箇所が第２層の灰色を呈している。
【００５７】
このように、第１層１７ａの変形した箇所の生地カバー層６０の色等の外観が変化することによって、マットレス１０の変形の有無が視覚的に示されるとともに、変形量や変形した位置及び範囲が視覚的に示される。また、布地が上記したような、位置の変化度合に応じた変化量、外観が変化する布地である場合、さらに、変形度合が視覚的に示される。これにより、展示やデモンストレーション等において、変形量や変形した位置及び範囲をマットレス１０に乗らなくても認識させることができる。これによって顧客の販売意欲を高めることができるという効果も期待される。
【００５８】
特に、ウレタン層１７の第１層１７ａに凹凸が形成されている場合、生地カバー層６０の位置の変化が大きくなるため、ウレタン層１７の変形がより視覚的に示される。さらに、第１層１７ａに形成される凹凸がラインである場合、生地カバー層６０の外観の変化が流線状に現れ、美観が向上する。特に、凸部のＸＺ平面の断面がとがった三角形状であることによって、生地カバー層６０表面の流線状がより鮮明になり、美観がより向上する。
【００５９】
［第２の実施の形態］
クッション装置はマットレスのみに限定されない。他の例として、たとえば、マッサージチェア、椅子、乗り物の座席、介護用ベッド、自動血圧測定装置、などを含む。これら装置の種類に応じて、内部部材及び内部部材を変形させるための機構の配置は第１の実施の形態で示された配置と異なるものであってもよい。
【００６０】
図１１は、内部部材、内部部材を変形させるための機構の配置、及び、表面部材の例を示した図である。第１の実施の形態では、図１１の（Ａ）に示されたように、内部部材を変形させるための機構であるエアセル３１が内部部材であるウレタン層１７の下に配置されてウレタン層１７とともに表面部材である生地カバー層６０に覆われている（形態Ａ）。この場合、エアセル３１が膨張することでウレタン層１７を上に押し上げる。しかしながら、クッション装置によっては、上記の形態Ａに限定されない。
【００６１】
他の例として、図１１の（Ｂ）に示されたように、エアセルなどの内部部材を変形させるための機構が内部部材の上に配置されて内部部材とともに表面部材に覆われてもよい（形態Ｂ）。この場合、当該機構が変形することで内部部材を下に押し下げるとともに表面部材を上に押し上げる。
【００６２】
また、他の例として、図１１の（Ｃ）に示されたように、エアセルなどの内部部材を変形させるための機構が表面部材に覆われた内部部材の内部に配置されてもよい（形態Ｃ）。この場合、当該機構が変形することで内部部材を上下又は左右に変形させる。
【００６３】
また、他の例として、図１１の（Ｄ）に示されたように、内部部材が表面部材に覆われ、エアセルなどの内部部材を変形させるための機構が、内部部材の下であって、表面部材の外部に配置されてもよい（形態Ｄ）。この場合、当該機構が変形することで表面部材を介して内部部材を上に押し上げる。
【００６４】
なお、表面部材は内部部材を完全に覆うものに限定されず、その変形に連動して変形すれば、少なくとも表面を覆う部材であってもよい。一例として、図１１の（Ｅ）に示されたように、表面部材は、内部部材の表面、側面、及び、底面の一部を覆い、底面の他の部分を覆わない、いわゆるボックス型であってもよい。エアセルなどの内部部材を変形させるための機構は、内部部材の下であって、表面部材が覆っていない位置に配置されてもよい（形態Ｅ）。この場合、当該機構が変形することで内部部材を上に押し上げる。
【００６５】
本発明は、上記の実施の形態に限定されるものではなく、様々な変形が可能である。
【符号の説明】
【００６６】
１０        ：マットレス
１０Ａ      ：マットレス本体
１１        ：第１マット部
１１Ｌ      ：マット部
１１Ｒ      ：マット部
１２        ：第２マット部
１２Ｌ      ：マット部
１２Ｒ      ：マット部
１３        ：第３マット部
１３Ｌ      ：マット部
１３Ｒ      ：マット部
１４        ：連結部
１５        ：連結部
１６        ：樹脂層
１６Ｂ      ：樹脂層
１６Ｆ      ：樹脂層
１６Ｈ      ：樹脂層
１７        ：ウレタン層
１７Ｂ      ：ウレタン層
１７Ｆ      ：ウレタン層
１７Ｈ      ：ウレタン層
１７ａ      ：第１層
１７ｂ      ：第２層
２０        ：メモリ
３１        ：エアセル
３１Ｂ      ：エアセル
３１Ｃ      ：エアセル
３１Ｈｅ    ：エアセル
３１ＨｅＬ  ：エアセル
３１ＨｅＲ  ：エアセル
３１Ｈｉ    ：エアセル
３１ＨｉＬ  ：エアセル
３１ＨｉＲ  ：エアセル
３１Ｌ      ：エアセル
３１Ｒ      ：エアセル
３１Ｓ      ：エアセル
３１ＳＬ    ：エアセル
３１ＳＲ    ：エアセル
３１Ｔｈ    ：エアセル
３１Ｔｏ    ：エアセル
３２        ：ポンプボックス
３３        ：エアチューブ
３４        ：電磁弁
３５        ：コネクタボックス
４０        ：制御ユニット
４３        ：制御部
４４        ：送受信部
５０        ：リモコン
５１        ：通信ボックス
５３        ：スマートフォン
６０        ：生地カバー層
６１Ａ      ：第１層
６１Ｂ      ：第２層
６２        ：開口窓
６３Ａ      ：凸部
６３Ｂ      ：凹部
１００      ：睡眠装置
Ｐ          ：使用者
【図１】
2019213653.tif 000003
【図２】
2019213653.tif 000004
【図３】
2019213653.tif 000005
【図４】
2019213653.tif 000006
【図５】
2019213653.tif 000007
【図６】
2019213653.tif 000008
【図７】
2019213653.tif 000009
【図８】
2019213653.tif 000010
【図９】
2019213653.tif 000011
【図１０】
2019213653.tif 000012
【図１１】
2019213653.tif 000013